(57)【特許請求の範囲】
【請求項１】
下面側に配置された裏面層と、上面側に配置された表面層とを有する複層型防水シートを、その一側縁部に、隣り合う複層型防水シートの他側縁部を重ね合わせた状態で、躯体表面に敷設するようにした複層型防水シートの敷設構造であって、
前記防水シートの一側縁部における裏面層が側方に突出されて、裏面層接合部が設けられ、
前記裏面層接合部の上面に、隣り合う防水シートの他側縁部における裏面層の下面が接合され、
前記防水シートの裏面層接合部が、上側に回り込んで表面層の一側端面に覆い被さるように配置されてなることを特徴とする複層型防水シートの敷設構造。
【請求項２】
前記防水シートの他側縁部における表面層が側方に突出されて、表面層接合部が設けられ、
前記表面層接合部の下面に、隣り合う防水シートの一側縁部における表面層の上面が接合されてなる請求項１に記載の複層型防水シートの敷設構造。
【請求項３】
前記防水シートの表面層接合部が、下側に回り込んで裏面層の他側端面に覆い被さるように配置されてなる請求項２に記載の複層型防水シートの敷設構造。
【請求項４】
下面側に配置された裏面層と、上面側に配置された表面層とを有する複層型防水シートを、その一側縁部に、隣り合う複層型防水シートの他側縁部を重ね合わせた状態で、躯体表面に敷設するようにした複層型防水シートの敷設構造であって、
前記防水シートの一側縁部における裏面層が側方に突出されて、裏面層接合部が設けられ、
前記裏面層接合部の上面に、隣り合う防水シートの他側縁部における裏面層の下面が接合され、
前記防水シートの他側縁部における表面層が側方に突出されて、表面層接合部が設けられ、
前記表面層接合部の下面に、隣り合う防水シートの一側縁部における表面層の上面が接合され、
前記防水シートの表面層接合部が、下側に回り込んで裏面層の他側端面に覆い被さるように配置されてなることを特徴とする複層型防水シートの敷設構造。
【請求項５】
下面側に配置された裏面層と、上面側に配置された表面層とを有する複層型防水シートであって、
一側縁部における裏面層が側方に突出されて、裏面層接合部が設けられるとともに、その裏面層接合部が、上側に回り込んで表面層の一側端面に覆い被さるように配置されてなることを特徴とする複層型防水シート。
【発明の詳細な説明】
【０００１】
【発明の属する技術分野】
この発明は、例えば組成の異なる樹脂層が積層一体化された複合シート等の複層型防水シート及びその敷設構造に関する。
【０００２】
【従来の技術】
ビル屋上、貯水槽、プール等のシート防水構造に適用される防水シートとしては、ポリ塩化ビニル樹脂等の単独の合成樹脂により構成されるものが一般的であるが、耐久性や強度の向上を図るために、組成の異なる２種の樹脂層が積層一体化された防水シートや、２つの樹脂層間に繊維補強層が介挿された防水シート等の複層型の防水シートも周知である。
【０００３】
複層型防水シートは、単層型防水シートと同様、一側縁部に隣り合う防水シートの他側縁部を重ね合わせて接着して、躯体表面に敷設施工するものである。
【０００４】
しかしながら、図５に示すように、合成樹脂からなる裏面層（３）と、その裏面層（３）に対し組成の異なる合成樹脂からなる表面層（４）とが積層一体化された異種複層型の防水シート（２）を躯体（１）に敷設施工する場合、防水シート（２）の一側縁部（２ａ）における表面層（４）に、隣り合う防水シート（２）の他側縁部（２ｂ）の裏面層（３）を接着する必要があるが、このシート間の接合は、異種材料間での接着となるため、樹脂の種類によっては、良好な接着性を得ることができず、接着作業が困難になってしまう。なお、図５において、シート間の接着（固着）部分を太線で示す（以下の図６においても同じ）。
【０００５】
【発明の背景】
このような技術背景の下、異種複層型防水シートを用いて防水施工する場合であっても、隣り合う防水シートの側縁部間において、良好な接着性を確実に得ることができる技術が種々検討されている。
【０００６】
その検討技術の一例として、図６に示すシート防水構造では、防水シート（５）が、樹脂製の裏面層（６）上に、樹脂製の表面層（７）が積層一体化された複層型のものにより構成され、表面層（７）の両側縁部が側方に突出されて、表面層接合部（７ａ）（７ｂ）が形成されるとともに、これらの表面層接合部（７ａ）（７ｂ）が、下側に回り込むように形成されて、裏面層（６）の両側端面（６ａ）（６ｂ）に覆い被さるように配置されている。そして、防水シート（５）を、その一側縁部（５ａ）における表面層（７）と、隣り合う防水シート（５）の他側縁部（５ｂ）における表面層接合部（７ｂ）の下端面とを接合して、溶剤溶着、熱風融着、接着剤結合等により、接着ないしは接合一体化（以下単に「接着」と称す）しつつ、躯体（１）上に敷設するものである。
【０００７】
このシート防水構造においては、隣り合う防水シート（５）間の接着を、表面層（７）同士の同種材料間で行うことができ、良好な接着性を確実に得ることができる。
【０００８】
しかしながら、この検討技術のシート防水構造において、例えば耐用年数を超えるような長期の使用や、不慮の落下物の衝撃等により、表面層（７）に亀裂（Ｃ）が形成されると、裏面層（６）に亀裂等がなくとも、防水性が損なわれる恐れがある。すなわち、表面層（７）の亀裂（Ｃ）から浸入した水分（Ｗ）が、表裏面層（６）（７）間を毛管現象により伝わっていき、防水シート（５）の端縁における表裏面層（６）（７）間から染み出して、防水シート（５）の裏面側の躯体（１）側に到達する等、防水性を維持できない恐れがあり、未だ改善の余地が残されている。
【０００９】
この発明は、上記の実情に鑑みてなされたもので、たとえ表面層に亀裂が生じた場合であっても、十分な防水性を確実に維持することができる上、隣り合う防水シート間において良好な接着性を得ることができる複層型防水シート及びその敷設構造を提供することを目的とする。
【００１０】
【課題を解決するための手段】
上記目的を達成するため、本第１発明は、下面側に配置された裏面層と、上面側に配置された表面層とを有する複層型防水シートを、その一側縁部に、隣り合う複層型防水シートの他側縁部を重ね合わせた状態で、躯体表面に敷設するようにした複層型防水シートの敷設構造であって、前記防水シートの一側縁部における裏面層が側方に突出されて、裏面層接合部が設けられ、前記裏面層接合部の上面に、隣り合う防水シートの他側縁部における裏面層の下面が接合されてなるものを要旨としている。
【００１１】
この第１発明の複層型防水シートの敷設構造においては、隣り合う防水シート間において、裏面層同士を接着するものであるため、たとえ表面層に亀裂が発生したとしても、裏面層によって、所定の防水性を確保することができる。
【００１２】
また、隣り合うシート間の接着を、裏面層同士の同種材料間で行うことができ、良好な接着性を得ることができる。
【００１３】
本第１発明においては、前記防水シートの裏面層接合部が、上側に回り込んで表面層の一側端面に覆い被さるように配置されてなる構成を採用するのが好ましい。
【００１４】
すなわちこの構成を採用する場合には、隣り合う防水シート間において、裏面層同士を、より確実に接着することができる。
【００１５】
また本第１発明においては、前記防水シートの他側縁部における表面層が側方に突出されて、表面層接合部が設けられ、前記表面層接合部の下面に、隣り合う防水シートの一側縁部における表面層の上面が接合されてなる構成を採用するのが良い。
【００１６】
すなわちこの構成を採用する場合には、隣り合う防水シート間において、表面層同士も接合固着することができるため、表面層によって、より確実な防水性を得ることができるとともに、シート間において、より一層良好な接着性を得ることができる。
【００１７】
更に本第１発明においては、前記防水シートの表面層接合部が、下側に回り込んで裏面層の他側端面に覆い被さるように配置されてなる構成を採用するのが望ましい。
【００１８】
すなわちこの構成を採用する場合には、隣り合う防水シート間において、表面層同士を、より確実に接着することができる。
【００１９】
一方、本第２発明は、上記第１発明のシート敷設構造に適用可能な防水シートを特定するものである。
【００２０】
すなわち、本第２発明は、下面側に配置された裏面層と、上面側に配置された表面層とを有する複層型防水シートであって、一側縁部における裏面層が側方に突出されて、裏面層接合部が設けられるとともに、その裏面層接合部が、上側に回り込んで表面層の一側端面に覆い被さるように配置されてなるものを要旨とするものである。
【００２１】
【発明の実施の形態】
図１はこの発明の第１実施形態である複層型防水シートを用いた防水構造を示す断面図である。同図に示すように、この防水構造に適用される防水シート（１０）は、下面側に配置された軟質合成樹脂製の裏面層（２０）と、裏面層（２０）上に積層一体化され、かつ裏面層（２０）に対し異なる組成を有する軟質合成樹脂製の表面層（３０）とを具備する異種複層型のものである。
【００２２】
この防水シート（１０）の一側縁部（１０ａ）において、裏面層（２０）の一側縁部が、表面層（３０）の一側端面（３０ａ）よりも側方に突出するよう形成されて、裏面層接合部（２１ａ）として構成され、この裏面層接合部（２１ａ）が、上側に回り込むように屈曲形成されて、表面層（３０）の一側端面（３０ａ）に覆い被さるように配置される。更に裏面層接合部（２１ａ）は、その上端面（２０ａ）が、表面層（３０）の上面と同一平面上に配置されるように形成されている。
【００２３】
また防水シート（１０）の他側縁部（１０ｂ）において、表面層（３０）の他側縁部が、裏面層（２０）の他側縁部に対し、側方に突出するよう形成されて、表面層接合部（３１ｂ）として構成され、この表面層接合部（３１ｂ）が、下側に回り込むように屈曲形成されて、裏面層（２０）の他側端面（２０ｂ）に覆い被さるように配置される。更に表面層接合部（３１ｂ）は、その下端面（３０ｂ）が裏面層（２０）の下面と同一平面上に配置されるように形成されている。
【００２４】
ここで本実施形態において、裏面層接合部（２１ａ）における上端面（２０ａ）の幅（接合幅Ｗａ）は、２０〜１００ｍｍに設定するのが良く、更に表面層接合部（３１ｂ）における下端面（３０ｂ）の幅（接合幅Ｗｂ）は、２０〜１００ｍｍに設定するのが良い。すなわち、これらの接合幅（Ｗａ）（Ｗｂ）が狭過ぎる場合には、裏面層同士及び表面層同士の接着強度を十分に確保するのが困難になり、シート間を確実に接着できない恐れがあり、好ましくない。逆に接合幅（Ｗａ）（Ｗｂ）を必要以上に広くとっても、それに見合う効果を期待できないばかりか、シート間の接着領域が広くなり過ぎて、施工作業性の低下を来す恐れがあり、好ましくない。
【００２５】
また本実施形態において、裏面層（２０）及び表面層（３０）としては、軟質で可撓性を有し、かつ耐水性を有する樹脂、具体的には、ポリ塩化ビニル系樹脂、ポリオレフィン系樹脂、エチレン・酢酸ビニル共重合体等の合成樹脂からなるものを好適に用いることができる。
【００２６】
なお、本実施形態において、裏面層（２０）を構成する樹脂組成物と、表面層（３０）を構成する樹脂組成物との組成が異なるという場合、母材の種類や配合量が異なる場合はもちろん、母材以外の成分、例えば可塑剤や充填剤等の種類や配合量が異なる場合も含まれる。
【００２７】
上記構成の防水シート（１０）を用いて躯体（１）の防水施工を行う場合、複数の防水シート（１０）を、その一側縁部（１０ａ）に隣り合う防水シート（１０）の他側縁部（１０ｂ）を重ね合わせつつ、並列配置に敷設していくものである。このとき、本実施形態においては、防水シート（１０）の一側縁部（１０ａ）における裏面層接合部（２１ａ）の上端面（２０ａ）と、隣り合う防水シート（１０）の他側縁部（１０ｂ）における裏面層（２０）の端縁とを接合するとともに、一側縁部（１０ａ）における表面層（３０）の端縁と、隣り合う防水シート（１０）の他側縁部（１０ｂ）における表面層接合部（３１ｂ）の下端面（３０ｂ）と接合し、これらの接合領域を溶剤溶着、熱風融着、接着剤結合等により接着するものである。こうして躯体（１）上に敷設される防水シート（１０）が、隣り合う防水シート（１０）間において、裏面層（２０）同士及び表面層（３０）同士がそれぞれ接着されるようにして施工される。ここで、図１において、シート間の接着（固着）部分を太線で示す（以下の図３、図４においても同じ）。
【００２８】
なお、防水シート（１０）は、その一部が躯体（１）に固定された固定板を介して部分的に躯体（１）に固定されて、残り多くの部分は躯体（１）に対し遊離した状態に配置されている。
【００２９】
以上のように、この防水シートの敷設構造によれば、隣り合う防水シート（１０）間において、裏面層（２０）同士及び表面層（３０）同士を接着するものであるため、例えば不慮の落下物の衝撃により表面層（３０）に亀裂（Ｃ）が形成されたとしても、十分な防水性を確実に維持することができる。すなわち、亀裂（Ｃ）から水分（Ｗ）が浸入した場合、その水分（Ｗ）は、毛管現象により表裏面層（２０）（３０）間を伝わるものの、隣り合うシート間において、裏面層（２０）同士が接着一体化されているため、表裏面層（２０）（３０）間の水分（Ｗ）が裏面層（２０）の下側、つまり躯体（１）側に到達するのを確実に防止でき、十分な防水性を確実に維持することができる。
【００３０】
しかも、本実施形態においては、隣り合うシート間において、裏面層（２０）同士及び表面層（３０）同士を接着するものであるため、シート間の接着を同種材料間で行うことができ、良好な接着性を得ることができて、接着作業を効率良くスムーズに行うことができ、ひいてはシート敷設作業を簡単に行うことができる。
【００３１】
図３はこの発明の第２実施形態である防水シート（１０）の敷設構造を示す断面図である。同図に示すように、この防水シート（１０）は、その一側縁部（１０ａ）は、上記第１実施形態と同様に、裏面層接合部（２１ａ）が形成される一方、他側縁部（１０ｂ）は、垂直に切断されている。
【００３２】
この防水シート（１０）を敷設する場合には、防水シート（１０）をその一側縁部（１０ａ）に、隣り合う防水シート（１０）の他側縁部（１０ｂ）を重ねるように敷設していく。そして、防水シート（１０）の一側縁部（１０ａ）における裏面層接合部（２１ａ）の上端面（２０ａ）と、隣り合う防水シート（１０）の他側縁部（１０ｂ）における裏面層（２０）の端縁とを接着する。更に隣り合う防水シート（１０）間において、一側縁部（１０ａ）から他側縁部（１０ｂ）にかけて領域を覆うように、表面層（３０）と同じ組成の樹脂シートからなる接合シート片（５０）を配置し、その接合シート片（５０）と、一側縁部（１０ａ）及び他側縁部（１０ｂ）の表面層（３０）（３０）とを、それぞれ溶剤溶着、熱風融着、接着剤結合等により接着するものである。
【００３３】
その他の構成は、上記第１実施形態と同様である。
【００３４】
このシート防水構造においても、隣り合う防水シート（１０）間において、裏面層（２０）同士が接合固着されるとともに、表面層（３０）同士が、表面層と同じ材質のシート接合片（５０）を介して接着されるため、上記と同様、表面層（３０）に亀裂が発生しても、裏面層（２０）により水分の浸入を防止できるので、十分な防水性を確実に維持することができ、更にシート間において良好な接着性を得ることができ、接着施工作業を効率良くスムーズに行うことができる。
【００３５】
図４はこの発明の第３実施形態である防水シートの敷設構造を示す断面図である。同図に示すように、この構造に適用される防水シート（１０）は、一側縁部（１０ａ）において、裏面層（２０）が表面層（３０）の一側端面（３０ａ）よりも一側方に突出するように形成されて、裏面層接合部（２１ａ）が形成されるとともに、他側縁部（１０ｂ）において、表面層（３０）が裏面層（２０）の他側端面（２０ｂ）よりも他側方に突出するように形成されて、表面層接合部（３１ｂ）が形成されている。
【００３６】
この防水シート（１０）を敷設する場合には、防水シート（１０）の一側縁部（１０ａ）における裏面層接合部（２１ａ）の上面と、隣り合う防水シート（１０）の他側縁部（１０ｂ）における裏面層（２０）の端縁とを重ね合わせて接着するとともに、一側縁部（１０ａ）における表面層（３０）の端縁と、隣り合う防水シート（１０）の他側縁部（１０ｂ）における表面層接合部（３１ｂ）の下面とを重ね合わせて接着するものである。
【００３７】
このシート防水構造においても、隣り合う防水シート（１０）間において、裏面層（２０）同士及び表面層（３０）同士が接着されるため、上記と同様、十分な防水性を確実に維持できるとともに、シート間において良好な接着性を得ることができ、接着施工作業を効率良くスムーズに行うことができる。
【００３８】
なお、上記実施形態においては、裏面層（２０）上に、直接、表面層（３０）が積層された防水シート（１０）を例に挙げて説明したが、本発明はそれだけに限られず、例えば裏面層上に、繊維補強層等の中間層を介して、表面層が積層された複層型防水シート等、３層以上の複層型防水シートにも上記と同様に適用することができる。
【００３９】
【発明の効果】
以上のように、本第１発明の複層型防水シートの敷設構造によれば、隣り合う防水シート間において、裏面層同士を接着するものであるため、たとえ表面層に亀裂が発生したとしても、裏面層により水分の浸入を防止でき、十分な防水性を確実に維持できるとともに、隣り合うシート間の接着を、裏面層同士の同種材料間で行うことができ、良好な接着性を得ることができ、接着作業を効率良くスムーズに行うことができ、ひいてはシート敷設作業を簡単かつ確実に行うことができるという効果がある。
【００４０】
本第１発明において、隣り合う防水シート間において、表面層同士を接合する場合には、上記の効果をより確実に得ることができる。
【００４１】
一方、本第２発明は、上記第１発明の敷設構造に適用可能な防水シートを特定するものであり、上記と同様の効果を得ることができる。
【図面の簡単な説明】
【図１】この発明の第１実施形態である複層型防水シートの敷設構造を示す断面図である。
【図２】第１実施形態に適用された防水シートを示す断面図である。
【図３】この発明の第２実施形態である複層型防水シートの敷設構造を示す断面図である。
【図４】この発明の第３実施形態である複層型防水シートの敷設構造を示す断面図である。
【図５】従来の複層型防水シートの敷設構造を示す断面図である。
【図６】従来の検討技術としての複層型防水シートの敷設構造を示す断面図である。
【符号の説明】
１０…防水シート
１０ａ…一側縁部
１０ｂ…他側縁部
２０…裏面層
２０ｂ…裏面層他側端面
２１ａ…裏面層接合部
３０…表面層
３０ａ…表面層一側端面
３１ｂ…表面層接合部
【図１】
0004643042.tif 000002
【図２】
0004643042.tif 000003
【図３】
0004643042.tif 000004
【図４】
0004643042.tif 000005
【図５】
0004643042.tif 000006
【図６】
0004643042.tif 000007